(57)【要約】      （修正有）【課題】可撓性平板の施工を迅速に行える方法を提供する。【解決手段】可撓性平板１の施工方法を、整地された路盤５に補強プレート２，２２，３２を敷詰める工程、補強プレート２，２２，３２を固定する工程、可撓性平板１を前記補強プレート２，２２，３２に固定する工程としたので、補強プレート２，２２，３２を路盤５に固定した後、直ちに可撓性平板１を固定することができ、施工期間が大幅に短縮することが可能となる。【選択図】図１
2004150181.tif 000002
【特許請求の範囲】
【請求項１】
可撓性平板の施工方法であって、整地された路盤に補強プレートを敷詰める工程、補強プレートを固定する工程、可撓性平板を前記補強プレートに固定する工程を有することを特徴とする可撓性平板の施工方法。
【請求項２】
前記補強プレートが透水性を有していることを特徴とする請求項１記載の可撓性平板の施工方法
【請求項３】
前記補強プレートは、内部に金属製の芯材を埋設し、全面に一様な貫通孔を設けたものであることを特徴とする請求項１または２記載の可撓性平板の施工方法。
【請求項４】
前記芯材には、防錆処理が施されていることを特徴とする請求項３記載の可撓性平板の施工方法。
【発明の詳細な説明】
【０００１】
【発明が属する技術分野】
本発明は、歩道、プールサイド、ベランダ、遊園地、運動公園等に用いられる可撓性平板の施工方法に関する。
【０００２】
【従来の技術】
ゴム平板などの可撓性平板を道路脇の歩道・遊歩道等の路面に敷設する場合、砂利や砂などを敷詰めて、路盤を整備した上に、可撓性平板を直接敷詰めると、可撓性平板に十分な強度がないため、雨水等で路盤が局部的沈下現象を起こした場合、安全な歩行を妨げてしまう虞があった。このため、従来は、路盤の上にコンクリートを打設することで、可撓性平板を補強し、歩行の安全性を確保していた。
【０００３】
【発明が解決しようとする課題】
しかしながら、コンクリートを打設する場合、コンクリートが完全に乾くまでに一週間近くかかっており、可撓性平板の施工が遅れ完成までに時間がかかっていた。
【０００４】
本発明の目的はこのような従来の欠点を解消し、施工を迅速に行える方法を提供することを目的とする。
【０００５】
【課題を解決するための手段】
上述の目的を達成するために請求項１記載の発明は、可撓性平板の施工方法であって、整地された路盤に補強プレートを敷詰める工程、補強プレートを固定する工程、可撓性平板を前記補強プレートに固定する工程を有することとした。したがって、請求項１記載の発明によれば、あらかじめ別の場所で作成した補強プレートを路盤に敷詰め固定するので、固定後すぐに可撓性平板を補強プレートに固定することができ、施工期間を大幅に短縮することができる。
【０００６】
また、請求項２記載の発明は、補強プレートが透水性を有しているものとした。
したがって、請求項２記載の発明によれば、雨水が補強プレートに留まることがない。
【０００７】
さらに、請求項３記載の発明は、前記補強プレートの内部に金属製の芯材を埋設し、全面に一様な貫通孔を設けることとした。これにより、補強プレートの強度を保つことができるので、補強プレートの厚みを薄くすることができ、さらに全面に一様な貫通孔を設けて、補強プレートを軽量化することができ、十分な透水性も確保することができる。
【０００８】
また、請求項４記載の発明は、芯材に防錆処理を施すこととした。これにより、芯材が錆びにくくなり、補強プレートの耐久性が向上する。
【０００９】
【発明の実施の形態】
本発明の実施の形態を、添付図面を参照しながら説明する。
【００１０】
図１には、本願発明の施工方法を用いたものが記載されている。まず、最初に地面４に、砂利や砂を敷詰め、路盤５を固めながら、平坦を出す。次にコンクリート製の補強プレート２を路盤５の上に敷詰める。前記補強プレート２には、４隅に補強プレート２を路盤５に固定するための穴３が開けられており、前記穴３に杭６などを打ちこみ、路盤５に固定する。前記補強プレート２の材質は、人などが歩行した場合、凹まない程度の強度があれば何でも良く、例えば、アスファルト、木材、鉄板、樹脂等でも良い。前記補強プレート２を敷詰めた路盤５に固定した直後に、補強プレート２の上に可撓性平板１を接着剤等にて固定する。前記可撓性平板１は、透水性のあるゴム平板であることが好ましく、例えば、切削ゴム片と樹脂製バインダーとが混合されたパネル等が挙げられる。切削ゴムには、廃タイヤや、廃ゴム等を用いることが好ましい。
【００１１】
図２は、本発明の第２の実施例であり、補強プレートを透水性の良い多孔質プレート１２としている。図３は、本発明の第２の実施例である多孔質プレートを用いて可撓性平板を施工した実施例を示している。図３に示す施工方法も第１の実施例同様に、平坦化された路盤５の上に多孔質プレート１２を敷詰め、固定した後、多孔質プレート１２の上に可撓性平板を接着剤等にて固定する。
【００１２】
図４には、本発明の第３の実施例である、補強プレートが記載されている。この補強プレート２２は、コンクリートからなり、その内部には、網目状の金属製の芯材２４が埋設されている。そして、補強プレート２２の全面には、円形の貫通孔２３が開けられており、路盤への固定、透水性、補強プレート２２の軽量化を実現している。また、網目状の芯材２４がある程度の補強を担保するので、補強プレート２２の厚みを薄くすることができる。また、図５には、本発明の第４の実施例である、補強プレートが記載されている。第４の実施例の補強プレート３２は、網目状の芯材３４が補強プレート３２の中に埋設されており、補強プレート３２の全面には、矩形状の貫通孔３３が設けられている。この第４の実施例も第３の実施例同様に、芯材３４によって補強プレート３２を補強しているので、補強プレートに全面に貫通孔３３を設けることができ、軽量化および透水性に優れた補強プレートとすることができる。
【００１３】
なお、本発明は上記実施例に限定されるものではなく、種々変更実施可能である。例えば補強プレートの路盤への固定は、補強プレートの４隅に穴を開け、そこに杭を打って行っているが、これに限定されず、例えば、補強プレートの裏面に突起等を形成して、路盤の中に食い込ませることで、路盤に固定しても良い。また、可撓性平板の補強プレートへの固定は、接着により行っているが、これに限定されず、例えば、可撓性平板の裏面に突起を設け、補強プレートに該突起と係合する溝を設けて、可撓性平板に設けた突起と補強プレートに設けた溝とを係合することで、補強プレートへ固定手段としても良い。また、平板は、あらかじめ形成されたパネル状のものに限らず、例えば、現場にて切削ゴム片と樹脂製のバインダーの混合物を補強プレートの上に敷設して、ローラーで固めることで平板を形成しても良い。この場合、ローラーで平板を形成すると同時に補強プレートへの固定が行うことができる。
【００１４】
【発明の効果】
以上のように、本発明によれば、可撓性平板の施工方法を、整地された路盤に補強プレートを敷詰める工程、補強プレートを固定する工程、可撓性平板を前記補強プレートに固定する工程としたので、補強プレートを路盤に固定した後、直ちに可撓性平板を固定することができ、施工期間が大幅に短縮することが可能となる。また、補強プレートに透水性を持たせたので、雨水が補強プレートに留まることがなくない。さらに、前記補強プレートの内部に金属製の芯材を埋設することで、補強プレートの強度を保つことができ、補強プレートの厚みを薄くしたり、さらに全面に一様な貫通孔を設けることができる。これにより、補強プレートを軽量化することができると同時に十分な透水性を確保することができる。また、芯材に防錆処理を施すことで芯材が錆びにくくなり、補強プレートの耐久性が向上する。
【図面の簡単な説明】
【図１】本発明の第１の実施例である、補強プレートを用施工された路面の断面図。
【図２】本発明の第２の実施例である、補強プレートの斜視図
【図３】本発明の第２の実施例の補強プレートを用いて施工された路面の断面図
【図４】本発明の第３の実施例である補強プレートの正面図
【図５】本発明の第４の実施例である補強プレートの正面図
【符号の説明】
１  可撓性平板
２、２２、３２  補強プレート
３  穴
４  地面
５  路盤
６  杭
１２  多孔質プレート
２３、３３  排水孔
２４、３４  芯材
【図１】
2004150181.tif 000003
【図２】
2004150181.tif 000004
【図３】
2004150181.tif 000005
【図４】
2004150181.tif 000006
【図５】
2004150181.tif 000007